(57)【特許請求の範囲】
【請求項１】
左右一対のラック側板と当該ラック側板に軸支された複数のセグメントとによって区画された蛇行状の商品通路を有し、収納する商品の寸法に応じて当該商品通路を左右に区画する可動側板を備えた自動販売機の商品収納ラックにおいて、
前記可動側板によって区画された前記商品通路の商品投入口のうち、前記商品の誤投入を防止すべき商品投入口の全部または一部を塞ぐために、当該商品投入口近傍の前記ラック側板間に揺動自在に一端を軸支され、当該商品通路側に突出可能に形成した誤投入防止板と、
前記誤投入防止板の揺動範囲を規制する揺動規制手段と、
を備え、揺動規制手段は、
奥側に位置する商品通路に投入商品を転動可能に案内し、かつ、誤投入防止板の突出時に当該誤投入防止板の下端部が当接するように配設したトップトレイと、
前記誤投入防止板の非突出時にラック側板間に架設された支軸に仮止めして前記商品投入口を開放するために当該誤投入防止板に設けたストッパ片と、
からなることを特徴とする自動販売機の商品収納ラック。
【発明の詳細な説明】
【０００１】
【発明の属する技術分野】
この発明は、自動販売機の商品収納ラックに関し、さらに詳しくは、可動側板によって区画された正規の商品補充通路以外の遊び通路に商品が誤って投入されるのを防止する自動販売機の商品収納ラックに関する。
【０００２】
【従来の技術】
図１６は、従来の商品収納ラックの商品投入口を示す正面図である。サーペンタイン式の商品収納ラックは、左右一対のラック側板２と、このラック側板２に軸支された複数のセグメント３とによって区画された蛇行状の商品通路４（たとえば、前後２列の商品通路を有し、後列側の商品通路は図示せず）を有して構成されている。商品収納ラックの上部前面は開口され、商品通路４の商品投入口４ａとして形成されている。可動側板６は、収納する商品の高さに応じて商品通路４を区画するために、たとえばリンク機構部２ｂによって水平方向に移動自在に構成されている。
【０００３】
このような構成において、商品通路４を可動側板６によって商品高さに応じて区画すると、可動側板６の右側には正規の商品補充通路Ｐが形成され、可動側板６の左側にはリンク機構部２ｂが存在しているために商品補充できない通路（以下、「遊び通路」と定義する）Ｒが形成されることとなる。
【０００４】
【発明が解決しようとする課題】
以上のような構成であっても、従来は販売対象商品が大きかったため、遊び通路Ｒには商品を投入できるスペースがなかった。しかしながら、近年、販売対象商品の寸法が多様化し、短小商品も販売対象商品になってきており、可動側板６の設定如何によっては、遊び通路Ｒの寸法がこの短小商品が入り得る寸法となる場合がある。このため商品補充時に、本来、商品を投入してはならない遊び通路Ｒに誤投入されるおそれがあるという課題があった。
【０００５】
この発明は、上記に鑑みてなされたものであって、可動側板によって区画された正規の商品補充通路以外の遊び通路に商品が誤投入されるのを防止できる自動販売機の商品収納ラックを提供することを目的とする。
【０００６】
【課題を解決するための手段】
上述の目的を達成するために、この発明の請求項１にかかる自動販売機の商品収納ラックは、左右一対のラック側板と当該ラック側板に軸支された複数のセグメントとによって区画された蛇行状の商品通路を有し、収納する商品の寸法に応じて当該商品通路を左右に区画する可動側板を備えた自動販売機の商品収納ラックにおいて、前記可動側板によって区画された前記商品通路の商品投入口のうち、前記商品の誤投入を防止すべき商品投入口の全部または一部を塞ぐために、当該商品投入口近傍の前記ラック側板間に揺動自在に一端を軸支され、当該商品通路側に突出可能に形成した誤投入防止板と、前記誤投入防止板の揺動範囲を規制する揺動規制手段とを備えたものである。これにより、誤投入を防止すべき遊び通路を必要時に誤投入防止板で容易に閉塞でき、短小商品が誤投入されるのを効果的に防止できるので、商品補充時の作業性を向上できる。
【０００７】
また、揺動規制手段は、奥側に位置する商品通路に投入商品を転動可能に案内し、かつ、誤投入防止板の突出時に当該誤投入防止板の下端部が当接するように配設したトップトレイと、前記誤投入防止板の非突出時にラック側板間に架設された支軸に仮止めして前記商品投入口を開放するために当該誤投入防止板に設けたストッパ片とからなるものである。これにより、誤投入防止板の突出時における位置決めと非突出時（待機時）における仮止めを容易にでき、取り扱い性を向上できる。
【００１０】
【発明の実施の形態】
以下、この発明にかかる自動販売機の商品収納ラックの実施の形態につき図面を参照しつつ詳細に説明する。なお、この実施の形態によりこの発明が限定されるものではない。
【００１１】
実施の形態１．
図１は、この発明の実施の形態１にかかる商品収納ラックの要部を示す断面図、図２および図３は、商品収納ラックを示す斜視図、図４および図５は、誤投入防止板の配設状態を示す斜視図、図６は、後列商品通路用の誤投入防止板を示す斜視図、図７は、前列商品通路用の誤投入防止板を示す斜視図、図８は、誤投入防止板を示す分解斜視図、図９は、ストッパ軸を示す斜視図、図１０は、軸保持片を示す斜視図、図１１は、ストッパ軸によるロック前の状態を示す正面図、図１２は、ストッパ軸によるロック後の状態を示す正面図、図１３は、誤投入防止板により商品投入口が狭まった状態を示す正面図である。
【００１２】
まず、商品収納ラック１の全体構成について説明する。商品収納ラック１は、左右一対のラック側板２と、このラック側板２に軸支された複数のセグメント３とによって区画された蛇行状の前後２列の商品通路４，５を有している。商品収納ラック１の上部前面は開口され、商品通路４，５の商品投入口４ａ，５ａとして形成されている。なお、商品通路４，５の終端部には、販売指令に基づいて商品を搬出する商品搬出装置１ａが設けられている。
【００１３】
可動側板６，７は、収納する商品の高さに応じて商品通路４，５を区画するために、たとえば公知のリンク機構部２ｂ（図１１参照）によって水平方向に移動自在に構成されている。これらの可動側板６，７は、ラック側板２に架設された支軸９に軸支されている。
【００１４】
可動側板６は、その係止片６ａを、ラック側板２に架設された係止部材１０の所定の係止穴１０ａに係止することで、位置決めできるようになっている。可動側板７は、その係止片７ａを、後述するトップトレイ８の所定の係止穴８ｂに係止することで、位置決めできるようになっている。なお、図１〜図５においては、説明の都合上、可動側板６，７を左側のラック側板２側に寄せて配置してある。
【００１５】
投入商品を転動可能に案内するトップトレイ８は、その前後端から側方に突き出した支軸８ａをラック側板２に開口した異形の調節溝２ａに係止され、緩やかな後傾姿勢に配設されており、商品径に応じて支軸８ａの位置を調節溝２ａに沿って前後に移動することにより、配設位置を調節できるようになっている。また、可動側板７の係止片７ａを係止するための係止穴８ｂが所定数設けられている。
【００１６】
つぎに本発明の要部たる誤投入防止板１１について説明する。この誤投入防止板１１は、図２〜図５に示すように、後列側商品通路５の商品投入口５ａのうち、向かって可動側板７の左側に形成される遊び通路の入口を閉塞するためのものである。図１〜図６に示すように、この誤投入防止板１１は、ラック側板２に架設された支軸１２を中心に揺動自在に軸支するために、長穴１１ｂを形成した一対の軸支片１１ａと、ラック側板２に架設された支軸１３に引っかけて仮止めできるように形成したストッパ片１１ｃと、手動で誤投入防止板１１の開閉操作をする際に指を入れて操作できるように形成した穴１１ｄとを備えている。
【００１７】
なお、誤投入防止板１１の幅は、誤投入のおそれのある短小商品の高さ寸法に対応するように設定してある。支軸１２に設けたパイプ状のスペーサ１２ａは、誤投入防止板１１の水平移動を規制するためのものである。
【００１８】
このような構成で、誤投入を防止する必要がない場合は、図１（実線で表示）および図２〜図５に示すように、ストッパ片１１ｃを支軸１３に引っかけて誤投入防止板１１を商品投入口５ａの上方に仮止めしておく。
【００１９】
一方、可動側板７を販売商品に合わせて移動設定したときに、可動側板７の左側に遊び通路が生じ、かつ、この遊び通路に短小商品を誤投入するおそれがある場合には、図１に示すように、実線で示した待機位置にある誤投入防止板１１を長穴１１ｂに沿って手前に引いてストッパ片１１ｃによる支軸１３への仮止めを外し、支軸１２を中心にして下方に揺動させれば、想像線で示すようにトップトレイ８上に載置され、商品投入口５ａが閉塞される。これにより、短小商品の誤投入を防止できる。
【００２０】
つぎに誤投入防止板１５について説明する。この誤投入防止板１５は、図３、図５および図１１に示すように、前列側商品通路４の商品投入口４ａのうち、向かって可動側板７の左側に形成される遊び通路の入口を閉塞するためのものである。図１、図５および図７〜図１３に示すように、この誤投入防止板１５は、ラック側板２に揺動自在に軸支するために形成した支軸１５ａと、ラック側板２に設けた係止穴２ｃや、係止穴２ｄおよび可動側板６に設けた係止穴６ｂに引っかけて仮止めできるように、ばね１７により水平方向に出没自在に付勢した一対のストッパ軸１６と、手動で誤投入防止板１５の開閉操作をする際に指を入れて操作できるように形成した穴１５ｃとを備えている。誤投入防止板１５の幅は、誤投入のおそれのある短小商品の高さ寸法に対応するように設定してある。
【００２１】
ストッパ軸１６は、図９に示すように、全体をＬ字状に形成され、指を引っかける操作部１６ａと、ばね１７の一端を規制する凸部１６ｂとからなっている。このストッパ軸１６は、軸保持部１５ｂおよび軸保持片１８によって摺動自在に保持され、ばね１７によって常時側方に付勢され突出している。なお、軸保持片１８の穴１８ａ，１８ｂは、軸保持片１８をねじ１９にて誤投入防止板１５に固定するためのものである。
【００２２】
このような構成で、誤投入を防止する必要がない場合は、図１（実線で表示）、図３および図５に示すように、左側のストッパ軸１６を係止穴２ｃに引っかけて誤投入防止板１５を商品投入口４ａの上方に仮止めしておく。なお、ストッパ軸１６は、ばね１７によって係止穴２ｃ側に付勢されているので、上記仮止め状態は維持される。
【００２３】
一方、可動側板６を販売商品に合わせて移動設定したときに、可動側板６の左側に遊び通路が生じ、かつ、この遊び通路に短小商品を誤投入するおそれがある場合には、誤投入防止板１５の穴１５ｃに指を入れて操作部１６ａを内方に摘み、ばね１７の付勢力に抗してストッパ軸１６を内方に後退させて係止穴２ｃへのロックを解除する。
【００２４】
そしてその状態で、図１に示すように、実線で示した待機位置にある誤投入防止板１５を支軸１５ａを中心にして下方に揺動させ、ストッパ軸１６の突出位置を係止穴２ｄ，６ｂに一致させた後（図１１参照）、操作部１６ａを開放すればばね１７の付勢力によりストッパ軸１６が突出するので、当該係止穴２ｄ，６ｂに係止される（図１２参照）。なお、誤投入防止板１５は、支軸９によって揺動範囲を規制されているので、ストッパ軸１６の突出位置を係止穴２ｄ，６ｂに一致させ易い。
【００２５】
これにより、図１３に示すように、誤投入防止板１５によって商品投入口４ａが狭くなり、想像線で示すように短小商品１０ｓが誤投入される事態を容易に防止できる。
【００２６】
以上のように、この実施の形態１にかかる自動販売機の商品収納ラック１によれば、必要時に遊び通路を誤投入防止板１１，１５で容易に閉塞でき、短小商品１０ｓが誤投入されるのを効果的に防止できるので、商品補充時の作業性を向上できる。
【００２７】
なお、上記実施の形態１においては、誤投入防止板１５を商品投入口４ａ側に設けるものとして説明したが、商品投入口５ａ側に設けることもでき、同様の効果を期待できる。また、リンク機構部２ｂにより可動側板６，７の位置を設定する商品収納ラック１を例にして説明したが、これに限定されず、手動等その他の可動手段によるものにも同様に本発明を適用できる。また、前後２列の商品通路４，５を有する商品収納ラック１を例にして説明したが、さらに多くの商品通路を有する商品収納ラックについても同様に本発明を適用できることは言うまでもない。
【００２８】
実施の形態２．
本実施の形態２は、前列側の商品通路４への商品誤投入を防止する誤投入防止板を提供するものであり、その他の構成については上記実施の形態１と同様である。ここで、図１４は、この発明の実施の形態２にかかる商品収納ラックの要部を示す断面図、図１５は、誤投入防止板を示す斜視図である。なお、以下の説明において、すでに説明した部材と同一もしくは相当する部材には、同一の符号を付して重複説明を省略する。
【００２９】
同図に示すように、誤投入防止板２０は、全体を「く」字形に折曲形成され、ラック側板２に架設された支軸２１を中心に揺動自在に軸支するために、この支軸２１を保持するカール状の軸保持部２０ａを備えている。誤投入防止板２０の幅は、誤投入のおそれのある短小商品の高さ寸法に対応するように設定してある。また、誤投入防止板２０の奥行き寸法は、誤投入防止設定時（上方に揺動させたセット時）に先端部が商品投入口４ａに突出してこれを狭め、短小商品が入らないように設定してある。なお、図示例は省略するが、誤投入防止板２０の右側の支軸２１には、誤投入防止板２０の右側への水平移動を規制するためにパイプ状のスペーサが設けられている。
【００３０】
なお、商品投入口４ａを形成するセグメント３の支軸３ａは、ラック側板２に開口した異形の調節溝２ｅに係止されており、商品径に応じて支軸３ａの位置を調節溝２ｅに沿って前後に移動することにより、配設位置を調節できるようになっている。
【００３１】
このような構成で、誤投入を防止する必要がない場合は、図１４に実線で示すように、誤投入防止板２０を支軸２１から吊り下げた状態にしておく。一方、可動側板６を販売商品に合わせて移動設定したときに、可動側板６の左側に遊び通路が生じ、かつ、この遊び通路に短小商品を誤投入するおそれがある場合には、上記待機位置にある誤投入防止板２０を同図中の太矢印で示すように、支軸２１を中心にして上方に揺動させて支軸３ａに引っかければ、想像線で示すように商品投入口４ａが狭められる。これにより、短小商品の誤投入を防止できる。
【００３２】
以上のように、この実施の形態２にかかる自動販売機の商品収納ラック１によれば、必要時に遊び通路を誤投入防止板２０、１１で容易に閉塞でき、短小商品が誤投入されるのを効果的に防止できるので、商品補充時の作業性を向上できる。誤投入防止板２０を設けることは、構成がきわめて容易であり、商品投入口４ａ下縁近傍に空きスペースがある場合に特に有効である。
【００３３】
【発明の効果】
以上説明したように、この発明にかかる自動販売機の商品収納ラック（請求項１）によれば、左右一対のラック側板と当該ラック側板に軸支された複数のセグメントとによって区画された蛇行状の商品通路を有し、収納する商品の寸法に応じて当該商品通路を左右に区画する可動側板を備えた自動販売機の商品収納ラックにおいて、前記可動側板によって区画された前記商品通路の商品投入口のうち、前記商品の誤投入を防止すべき商品投入口の全部または一部を塞ぐために、当該商品投入口近傍の前記ラック側板間に揺動自在に一端を軸支され、当該商品通路側に突出可能に形成した誤投入防止板と、前記誤投入防止板の揺動範囲を規制する揺動規制手段とを備えたので、誤投入を防止すべき遊び通路を必要時に誤投入防止板で容易に閉塞でき、短小商品が誤投入されるのを効果的に防止できる。したがって、商品補充時の作業性を向上できる。
【００３４】
また、揺動規制手段は、奥側に位置する商品通路に投入商品を転動可能に案内し、かつ、誤投入防止板の突出時に当該誤投入防止板の下端部が当接するように配設したトップトレイと、前記誤投入防止板の非突出時にラック側板間に架設された支軸に仮止めして前記商品投入口を開放するために当該誤投入防止板に設けたストッパ片とからなるので、誤投入防止板の突出時における位置決めと非突出時（待機時）における仮止めを容易にでき、取り扱い性を向上できる。
【図面の簡単な説明】
【図１】この発明の実施の形態１にかかる商品収納ラックの要部を示す断面図である。
【図２】商品収納ラックを示す斜視図である。
【図３】商品収納ラックを示す斜視図である。
【図４】誤投入防止板の配設状態を示す斜視図である。
【図５】誤投入防止板の配設状態を示す斜視図である。
【図６】後列商品通路用の誤投入防止板を示す斜視図である。
【図７】前列商品通路用の誤投入防止板を示す斜視図である。
【図８】誤投入防止板を示す分解斜視図である。
【図９】ストッパ軸を示す斜視図である。
【図１０】軸保持片を示す斜視図である。
【図１１】ストッパ軸によるロック前の状態を示す正面図である。
【図１２】ストッパ軸によるロック後の状態を示す正面図である。
【図１３】誤投入防止板により商品投入口が狭まった状態を示す正面図である。
【図１４】この発明の実施の形態２にかかる商品収納ラックの要部を示す断面図である。
【図１５】誤投入防止板を示す斜視図である。
【図１６】従来の商品収納ラックの商品投入口を示す正面図である。
【符号の説明】
１  商品収納ラック
１ａ  商品搬出装置
２  ラック側板
２ａ、２ｅ  調節溝
２ｂ  リンク機構部
２ｃ、２ｄ  係止穴
３  セグメント
３ａ  支軸
４、５  商品通路
４ａ、５ａ  商品投入口
６  可動側板
６ａ  係止片
６ｂ  係止穴
７  可動側板
７ａ  係止片
８  トップトレイ
８ａ  支軸
８ｂ  係止穴
９  支軸
１０  係止部材
１０ａ  係止穴
１１  誤投入防止板
１１ａ  軸支片
１１ｂ  長穴
１１ｃ  ストッパ片
１１ｄ  穴
１２  支軸
１２ａ  スペーサ
１３  支軸
１５  誤投入防止板
１５ａ  支軸
１５ｂ  軸保持部
１５ｃ  穴
１６  ストッパ軸
１６ａ  操作部
１６ｂ  凸部
１７  ばね
１８  軸保持片
１８ａ、１８ｂ  穴
２０  誤投入防止板
２０ａ  軸保持部
２１  支軸
【図１】
0004378880.tif 000002
【図２】
0004378880.tif 000003
【図３】
0004378880.tif 000004
【図４】
0004378880.tif 000005
【図５】
0004378880.tif 000006
【図６】
0004378880.tif 000007
【図７】
0004378880.tif 000008
【図８】
0004378880.tif 000009
【図９】
0004378880.tif 000010
【図１０】
0004378880.tif 000011
【図１１】
0004378880.tif 000012
【図１２】
0004378880.tif 000013
【図１３】
0004378880.tif 000014
【図１４】
0004378880.tif 000015
【図１５】
0004378880.tif 000016
【図１６】
0004378880.tif 000017